(57)【要約】【課題】張力部材としてワイヤを用いることで、耐久性が向上し、交換頻度の低減化を図った開閉体の開閉装置を提供する。【解決手段】巻取軸１に設け巻き上げプーリ２に、多数連鎖した連結部材３の上端を巻取巻きほどき可能に連結し、かつ左右の連結部材間にスラットを配置して開閉体４とし、巻取軸１には、ドラム３０が同軸配置され、このドラム３０に一端を連結した張力部材の他端側を複数のガイドプーリ２９を経由して床側に基端を連結したテンションスプリング２０の上端に結合してなり、巻取軸１に軸結した駆動装置により開閉体４が巻き上げられている解放状態では、張力部材がドラム３０より巻き解かれているとともにテンションスプリング２０の張力が減少し、開閉体４が閉じられている状態では、テンションスプリング２０が伸びて張力が増大し、この状態からの開閉体４の解放時における重量負荷を減少させる構造において、張力部材としてワイヤ２８を用いた。【選択図】    図２
2006057346.tif 000002
【特許請求の範囲】
【請求項１】
巻取軸に設けた巻き上げプーリに、多数連鎖した連結部材の上端を巻取巻きほどき可能に連結し、かつ連結部材間にスラットを配置して開閉体とした開閉装置であって、前記巻取軸には、巻き付けドラムが同軸配置され、この巻き付けドラムに一端を連結した張力部材の他端側を床側に基端を連結したテンションスプリングの上端に結合してなり、前記巻取軸に軸結した駆動装置により開閉体が巻き上げられている開閉体の解放状態では、前記張力部材が巻き付けドラムより巻き解かれているとともに前記テンションスプリングの張力が減少し、開閉体が閉じられている状態では、前記テンションスプリングが伸びて張力が増大し、この状態からの開閉体の解放時における重量負荷を減少させる構造において、  前記張力部材としてワイヤを用いたことを特徴とする開閉体の開閉装置。
【請求項２】
前記テンションスプリングは、基端を床側に結合した１本又は複数本の上下方向に長いコイルスプリングにより形成され、テンションプリングの上端側には一個の吊り具が固定され、該吊り具に設けられた被連結部に、前記ワイヤの取付端が連結されていることを特徴とする請求項１記載の開閉体の開閉装置。
【請求項３】
前記ワイヤの前記テンションスプリングに対する取付端にフックを設け、該フックを介して前記ワイヤをテンションスプリング上端側の前記吊り具の前記被連結部に脱着可能に係止したことを特徴とする請求項２記載の開閉体の開閉装置。
【請求項４】
前記ワイヤの中間には、張力調整用のターンバックルが配置されていることを特徴とする請求項１、２又は３に記載の開閉体の開閉装置。
【発明の詳細な説明】
【技術分野】
【０００１】
本発明は、スプリングにより開閉体重量との釣合をとれるようにして高速かつスムーズに開閉体を開閉させるための開閉装置において、スプリングと開閉体の巻取機構との間を連結してスプリングを伸縮させるための張力部材の耐久性向上や交換頻度の低減を図ったものに関する。
【背景技術】
【０００２】
開閉高さが、例えば、３〜５ｍもある開口部に用いられる大形のシャッター式開閉装置において、本発明の基礎となる従来技術として下記特許文献１が提示されている。この従来技術は、図１に示すように、巻取軸１の両側に設けた一対の巻き上げプーリ２に、チェーン状に多数連鎖した連結部材３の上端を巻取巻きほどき可能に連結し、かつ左右の連結部材３間に図示しないスラットを配置して開閉体４としたものである。
尚、上記巻き上げプーリ２は、開閉体４の幅寸法が大きい場合には、巻取軸１の両側と中央側の３箇所以上に設けるようにしてもよく、その場合、上記連結部材３も、それに応じて３箇所以上の配置させるようにしてもよい。
【０００３】
巻取軸１には、巻き付けドラム５が同軸配置され、この巻き付けドラム５に一端を連結した張力部材６の他端側を、複数のガイドプーリ７を経由して床側に基端を連結したテンションスプリング８の上端に結合している。
【０００４】
この構造において、巻取軸１に軸結した図示しない駆動装置により開閉体４が巻き上げられているときには、張力部材６が巻き付けドラム５より巻き解かれているようにセットされ、開閉体４の解放状態ではテンションスプリング８の張力は減少し、また開閉体４が巻きほどかれているとき、すなわち開閉体４が閉じられている状態では、テンションスプリング８は最大限伸びて張力が最大となり、この状態からの開閉体４の解放時における重量負荷を減少させる。
【０００５】
以上の構造では、高速で巻上げ及び巻き下げが行われるため、かなりの加減速力が発生する。駆動装置はそれに対処できるよう設計しなければならず、錘９を含む補助装置が提供される。この装置からの力は、開閉体４の最下端部に作用し、張力部材１０、上側ガイドプーリ１１、下側ガイドプーリ１２、滑車１３によって伝達される。
【０００６】
張力部材１０の一端は錘９の上方に固定され、他端は開閉体４の下端に固定される。固定端から進み、張力部材１０は必ず錘９が作用する滑車１３で方向が反転する。そして張力部材１０は、ガイドプーリ１１，１２間に導かれ、開閉体４の最下端部に進む。開閉体４の下端部がガイドプーリ１２の下側にある限り、張力部材１０の力は上方に作用するため、開閉体４を開く過程では加速効果がある。他方、開閉体４を閉じる過程では、減速効果を生ずる。すなわち、張力部材１０の取付点がプーリ１２の高さより上に来て、プーリ１１にガイドされると張力部材１０の力は下方に作用し、減速されるものとなる。
【特許文献１】特表２００３−５２７５１３号公報
【発明の開示】
【発明が解決しようとする課題】
【０００７】
以上の構造において、前記巻き付けドラム５及びテンションスプリング８に両端連結される張力部材６は、従来では布製の平ベルトが用いられ、ガイドプーリ７の両側にはベルトの両側を挟み込むべく脱落防止用フランジが形成されている。このためベルトの両側はガイドプーリ７を通過する毎にフランジとの間でこすれ、早期に消耗しやすい。
【０００８】
このため、ベルトのメンテナンスや交換頻度が増し、交換時の作業にも手間が掛かっていた。
【０００９】
本発明は以上の課題を解決するものであり、その目的とするところは、張力部材としてワイヤを用いることで、耐久性が向上し、交換頻度の低減化を図った開閉体の開閉装置を提供するものである。
【課題を解決するための手段】
【００１０】
前記目的を達成するため、本発明は、図の実施の形態にも示すように、巻取軸１に設けた巻き上げプーリ２に、多数連鎖した連結部材３の上端を巻取巻きほどき可能に連結し、かつ連結部材間にスラットを配置して開閉体４とした開閉体の開閉装置であって、前記巻取軸１には、巻き付けドラム３０が同軸配置され、この巻き付けドラム３０に一端を連結した張力部材の他端側を床側に基端を連結したテンションスプリング２０の上端に結合してなり、前記巻取軸１に軸結した駆動装置により開閉体４が巻き上げられている解放状態では、前記張力部材がドラム３０より巻き解かれているとともに前記テンションスプリング２０の張力が減少し、開閉体４が閉じられている状態では、前記テンションスプリング２０が伸びて張力が増大し、この状態からの開閉体４の解放時における重量負荷を減少させる構造において、前記張力部材としてワイヤ２８を用いたことを特徴とするものである。
【００１１】
また、本発明では、テンションスプリング２０は、基端を床側に結合した１本又は複数本の上下方向に長いコイルスプリングにより形成され、テンションプリング２０の上端側には一個の吊り具２６が固定され、該吊り具２６に設けられた被連結部２７に、ワイヤ２８の取付端が連結されていることを特徴としている。
【００１２】
さらに、本発明では、ワイヤ２８のスプリング２０に対する取付端にフック４０を設け、該フック４０を介してワイヤ２８をスプリング２０上端側の上記吊り具２６の上記被連結部２７に脱着可能に係止したことを特徴とするものである。
【００１３】
また、さらに本発明では、ワイヤ２８の中間には張力調整用のターンバックル３３が配置されていることを特徴とするものである。
【発明の効果】
【００１４】
従って、本発明によれば、ワイヤは布ベルトよりこすれなどによる摩耗を生じにくいことから、耐久性がある。またこのため、必要なメンテナンスの頻度を低減することができ、維持管理費用が安価となる。
【００１５】
請求項２記載の発明によれば、テンションスプリング上端側とワイヤの取付端との連結が容易でバランスが良い。
【００１６】
請求項３に記載される発明では、ワイヤの取付端にフックを設け、これを、吊り具に設けられた被連結部に脱着可能に掛けるようにしているので、ワイヤのテンションスプリングに対する脱着が容易である。
【００１７】
請求項４の発明によれば、ターンバックルの介設により、ワイヤ張力の調整が容易である。
【発明を実施するための最良の形態】
【００１８】
（第１の実施の形態）
以下、本発明の好ましい実施の形態につき、添付図面を参照して詳細に説明する。
図２，図３は本発明の第１の実施の形態を示す。なお、開閉体全体の概略構造は既に説明した図１と同様または類似構造であるため、その説明は省略し、要部のみについて説明を行う。
【００１９】
図２は、本発明の要部を示す。図において、２０は下端を取付金具２１を介して床側に固定されたテンションスプリングである。このテンションスプリング２０は、二本の上下方向に長いコイルスプリング２０’，２０’を並列させることで、バネ力を倍としたダブルスプリング型のものである。それぞれのコイルスプリング２０’の上下部にねじ込みフック２３を螺合し、この両フック２３を固定点として伸縮可能としている。そして、下部側フック２３の中心を上下に貫通して固定された下部ボルト２４の下端を床側に固定された取付金具２１に係合している。フック２３は、外周にコイルスプリング２０の各端部のコイルが螺合される螺子溝を有する金属などの肉厚ワッシャ型の部材である。
【００２０】
また、上部フック２３の中心を上下に貫通して固定された上部ボルト２５の上端には、略断面倒コ字型若しくは略断面Ｕ型をした金具よりなる吊り具２６が取付けられ、この吊り具２６の両側片の中央部を貫通して横設されたピン状の被連結部２７に張力部材としてのワイヤ２８の下端が連結している。上部ボルト２５の、吊り具２６の底板片を貫通する上下、及びフック２３を貫通する上部には、締め付けナット４２が螺締されている。また、下部ボルト２４のフック２３を貫通する上下にも同様の締め付けナット４２が螺締されている。
【００２１】
ワイヤ２８の他端側は、第１、第２のガイドプーリ２９を通じて前記巻取軸１に同軸に設けたワイヤドラム３０に連結している。
【００２２】
各ガイドプーリ２９は、図の一部に拡大して示すように、そのガイド面にワイヤ２８の断面に応じて半円形やＵ字形、Ｖ字形などのガイド溝を形成したものであり、これによってワイヤ２８の脱落を未然に防止できるようにしている。
【００２３】
ワイヤ２８の前記被連結部２７に対する連結端は、図の一部に拡大して示すように、カシメ付け用のスリーブ３１を介してループ２８ａを形成し、このループ２８ａを被連結部２７に通すことで被連結部２７に連結している。
【００２４】
またこのループ２８ａの内側には略Ｕ字形をなす擦れ止め用のシンプル３２が配置され、このシンプル３２を介して被連結部２７に接することで、ワイヤ２８の摩耗を防止している。
【００２５】
更に、ワイヤ２８のピン連結端側と、第１のガイドプーリ２９との間にはターンバックル３３が配置され、このターンバックル３３によりワイヤ２８の張力が調整されるようになっている。ターンバックル３３の取付位置は、ワイヤ２８がワイヤドラム３０に巻取られた状態で第１のガイドプーリ２９に接近するが、ガイドプーリ２９に乗上げない高さ位置に設定されている。
【００２６】
前記ワイヤドラム３０は、図３に示すように、その中心に前記巻取軸１に軸支される軸受用ボス部３４を形成し、ボス部３４の周囲に放射状に配置されたリブ３５の外周部に一体化された台形の大径部３６と、大径部３６から連続する直円筒状の筒状部３７とからなり、それぞれの表面にはワイヤを巻取ガイドするための螺旋状の溝３８が連続的に形成され、これにより巻取時にはワイヤ２８は溝３８に沿って順次巻取られることにより、乱巻きを防止するようになっている。またリブ３５にはボルトナット３９を介してワイヤ２８の端部が固定されており、このワイヤ端部はワイヤドラム３０の裏面側より大径部３６の一側部に形成された切欠き３６ａを通じてワイヤドラム３０の表面側に供給され、前記溝３７に沿って大径部３６側から筒状部３７側に向けて順次巻取り可能としている。
【００２７】
なお、前記ワイヤドラム３０の断面形状を台形とこれから連続する直円筒としたのは、その巻取径の太さに応じて、巻きはじめでワイヤが急速に巻取られ、次いでその巻取速度を漸減するとともに、直円筒部分で一定とすることで、前記テンションスプリング２０のバネ圧と均衡させるためである。
【００２８】
したがって、本実施形態においては、ドラムの逆回転に伴いワイヤ２８がテンションスプリング２０に作用してこれを伸縮させるため、このスプリング力により、従来と同一作用を行うとともに、ワイヤ２８そのものの強度により、損耗度合が従来の平ベルトを用いた場合に比べて低く、これにより、以上の機構部分の耐久性を増すことができるのである。
【００２９】
また、ワイヤ２８の特性として繰返し張力を受けることで、若干の伸びが生ずることがあるが、この現象に対してはメンテナンス時などにおいて、ターンバックル３３の回動調整により、簡単に最適張力に調整可能である。
【００３０】
（第２の実施の形態）
図４は、本発明の第２の実施形態を示す。図において、ワイヤ２８の前記ピン状の被連結部２７に対する連結端には、カシメ付け用のスリーブ３１を介してフック４０が一体化され、このフック４０を被連結部２７に係止することでワイヤ２８を被連結部２７に連結している。これ以外の構成は前記第１実施形態と同様である。また、前記フック４０には抜止め金具４１が設けられており、テンションスプリング２０の伸縮時におけるリバウンドなどによりフック４０が被連結部２７から抜出すことを未然に防止している。
【００３１】
本実施の形態では、ワイヤ２８の取付け又は交換時には、フック４０を被連結部２７に、外側から係合させ、又は取外すだけの作業によりワイヤ２８を係脱させることでができるため、その取付け又は交換作業が容易となる。
【００３２】
なお、各実施の形態ではスプリングとしてダブルテンションスプリング２０を用いたが、シングルタイプのスプリングでも良く、また同心状の二重スプリングを採用してもよい。二個又は三個など複数のスプリングを用いる場合には、上記吊り具２６の底板片の左右及び中間部の被連結部２７から等間隔の位置に、各スプリング２０の上端（上部ボルト２５）を貫通して、固定させることが望ましい。
【００３３】
また、各実施の形態において、錘９を吊下げる張力部材１０については説明を省略したが、この張力部材１０についてもワイヤ２８を採用できることも勿論である。
【００３４】
また、各実施の形態において、吊り具２６の形状を略断面倒コ字型若しくは略断面Ｕ型とし、吊り具２６の断面における略平行した部分にわたって横設したピン或いは対面して設けた孔などを上記被連結部２７として、ピンや対面して設けた孔にワイヤ２８の取付端を連結させるようにすると、取付け強度の向上を図ることができ、望ましい。
図の実施の形態では、被連結部２７をピンとしたが、孔でもよく、さらに、１個の吊り具２６に設ける被連結部２７の数も、１個でもよく複数個でもよい。被連結部２７を複数個設けた場合には、各被連結部２７の位置を上下方向に変えて設けることで、ワイヤ２８の取付端の連結位置を上下方向に可変とさせることができ、これによりワイヤの張力を微調整させることが可能となる。
【００３５】
さらに、上記各実施の形態では、ワイヤドラム３０と吊り具２６を連結させるワイヤ２８は、１本としたが２本以上の複数本としてもよく、２重ワイヤや３重ワイヤなどを用いてもよい。これによると張力部材としてのワイヤ２８の強度や耐久性をさらに向上させることができる。
また、上記各実施の形態において、ワイヤ２８とターンバックル３３との連結構造は、図２に示すようなカシメ付けによるものでもよく、図４に示すワイヤ２８先端のようなフック等による連結構造としてもよい。
【図面の簡単な説明】
【００３６】
【図１】本発明が適用される開閉体構造の概略を示す側面説明図である。
【図２】本発明の第１の実施形態を示す一部拡大部分を含む要部説明図である。
【図３】同第１の実施形態におけるワイヤドラムの側面図および底面図である。
【図４】本発明の第２実施形態を示す一部拡大部分を含む要部説明図である。
【符号の説明】
【００３７】
１  巻取軸
２  巻き上げプーリ
３  連結部材
４  開閉体
２０  テンションスプリング
２４  下部ボルト
２５  上部ボルト
２６  吊り具
２７  被連結部
２８  ワイヤ
２８ａ  ループ
２９  ガイドプーリ
３０  ワイヤドラム
３３  ターンバックル
４０  フック
【図１】
2006057346.tif 000003
【図２】
2006057346.tif 000004
【図３】
2006057346.tif 000005
【図４】
2006057346.tif 000006